(57)【要約】      （修正有）【課題】リュックサックと、このリュックサックを背負う背中との間に挿入して、リュックサックと背中の間の通気を確保するためのスペーサー（間隔保持具）を提供する。【解決手段】一対の側板２０を一定間隔を存して平行列設し、この一対の側板を連結バー３０を介して組み立て保持してスペーサー本体１を構成する。さらに、このスペーサー本体の片側対接面２３を平面状の対接面にし、他側の対接面２４を膨隆状の対接面としたことを特徴としてリュックサック用スペーサーを形成する。【選択図】図２
0003172515.tif 000002
【実用新案登録請求の範囲】
【請求項１】
一対の側板を一定間隔を存して平行列設し、この一対の側板を連結具を介して組み立て保持してスペーサー本体を構成し、このスペーサー本体の片側対接面を平面状の対接面に形成し、他側の対接面を膨隆状の対接面に形成したことを特徴とするリュックサック用スペーサー。
【請求項２】
脱落保護ロープを取り付けたことを特徴とする請求項１記載のリュックサック用スペーサー。  
【請求項３】
脱落保護ロープの先端に係止用のカラビナを取り付けたことを特徴とする請求項２記載のリュックサック用スペーサー。
【請求項４】
連結具が長ネジと蝶ナットとナットで構成したことを特徴とする請求項１乃至３の何れかに記載のリュックサック用スペーサー。
【請求項５】
連結具が折り畳み可能な部材で構成され、これに折り畳み防止用の伸張サックをセットしたことを特徴とする請求項１乃至３の何れかに記載のリュックサック用スペーサー。
【請求項６】
連結具が折り畳み可能な部材で構成され、連結具の折り畳み収納時に、当該連結具を内部に収納できる収納ケースを備え、この収納ケースを前記一対の側板の内壁面に取り付け、この収納ケース内に連結具を伸張する方向に付勢する板バネを備えたことを特徴とする請求項１乃至３の何れかに記載のリュックサック用スペーサー。
【考案の詳細な説明】
【技術分野】
【０００１】
本考案は、リュックサック（以下デイバッグ等を含む）と、このリュックサックを背負う背中の間に挿入されるもので、リュックサックと背中との間の通気を確保するスペーサー（間隔保持具）に関する。
【背景技術】
【０００２】
従来より、リュックサックを背負ったときに背中に生ずる不快な発熱、発汗を軽減させる器材、器具は色々考案されてきたが、その多くは、リュックサックに直接装着されて、背中とリュックサックとの間隔を確保する目的で提案されるものであった（特許文献１、特許文献２、特許文献３、特許文献４）。
【先行技術文献】
【特許文献】
【０００３】
【特許文献１】実開平０７−３３５２号公報
【特許文献２】特開平１０−１４６５７号公報
【特許文献３】特開平１０−３３２６０号公報
【特許文献４】特開平１１−１８８３４号公報
【考案の概要】
【考案が解決しようとする課題】
【０００４】
登山、ハイキング、自転車旅行等でリュックサックを背負った場合、リュックサックが背中に密着することにより、その箇所に熱がこもり、背中が発汗し不快な思いをすることが多々あった。
この対策として、従来はリュックサック又は身体のいずれかの側に、予めスペーサーを装着しておくことがあった。しかし、出発時にはスペーサーを必要としなかったが、途中から暑くなって発汗してしまう場合とか、あるいは反対に出発時にはスペーサーを必要としたが、途中から涼しくなってスペーサーが不要となる場合等があり、これらの場合にあっては、従来のスペーサーの着脱は、まずリュックサックを背中から下ろし、さらにスペーサーを装着又は脱着し、その後再度リュックサックを背負うという手順が必要であり、大変面倒であった。
【０００５】
本考案のスペーサーは、リュックサックと体のいずれの側にも固定しないタイプのスペーサーであって、リュックサックとこれを背負う背中との間に簡単に挿入でき、また簡単に取り外すこともできるというリュックサック用スペーサーを提供するものである。
【課題を解決するための手段】
【０００６】
前記課題を解決するために、請求項１の考案は、一対の側板を一定間隔を存して平行列設し、この一対の側板を連結具を介して組み立て保持してスペーサー本体を構成し、このスペーサー本体の片側対接面を平面状の対接面に形成し、他側の対接面を膨隆状の対接面に形成したことを特徴とするリュックサック用スペーサーである。
【０００７】
請求項２の考案は、脱落保護ロープを取り付けたことを特徴とする請求項１記載のリュックサック用スペーサーである。
【０００８】
請求項３の考案は、脱落保護ロープの先端に係止用のカラビナを取り付けたことを特徴とする請求項２記載のリュックサック用スペーサーである。
【０００９】
請求項４の考案は、連結具が長ネジと蝶ナットとナットで構成したことを特徴とする請求項１乃至３の何れかに記載のリュックサック用スペーサーである。
【００１０】
請求項５の考案は、連結具が折り畳み可能な部材で構成され、これに折り畳み防止用の伸張サックをセットしたことを特徴とする請求項１乃至３の何れかに記載のリュックサック用スペーサーである。
【００１１】
請求項６の考案は、連結具が折り畳み可能な部材で構成され、連結具の折り畳み収納時に、当該連結具を内部に収納できる収納ケースを備え、この収納ケースを前記一対の側板の内壁面に取り付け、この収納ケース内に連結具を伸張する方向に付勢する板バネを備えたことを特徴とする請求項１乃至３の何れかに記載のリュックサック用スペーサーである。
【考案の効果】
【００１２】
上記した請求項１記載のリュックサック用スペーサーによれば、スペーサー本体はリュックサックとこれを背負う背中との間に挿入し易い形状となり、簡単に挿入することができ、また簡単に取り外すことができるという効果を発揮する。
【００１３】
請求項２記載のリュックサック用スペーサーによれば、上記請求項１の効果に加えて、スペーサー本体がリュックサックと背中との間から不意に外れたとしても、スペーサー本体が外れて地面に落ちることはなく、したがってスペーサー本体を拾い上げるという手間を掛けないで済む効果を発揮する。
【００１４】
請求項３記載のリュックサック用スペーサーによれば、上記請求項１及び２の効果に加えて、スペーサー本体に取り付けた脱落保護ロープを、このカラビナを利用して簡単にリュックサック等に係止できるという効果を発揮する。
【００１５】
請求項４記載のリュックサック用スペーサーによれば、長ネジと蝶ナットとナットで連結具を完成させることができ、全体の構成が簡素化し、組み立てが容易となる効果がある。
【００１６】
請求項５記載のリュックサック用スペーサーによれば、折り畳み可能な部材で形成された連結具を折り畳んで収納できるので全体がコンパクトなものとなり、一方使用時には連結具を伸張させ、折り畳み防止用の伸張サックで折り畳みの防止を図ることで、使用時の形態安定性が向上する効果がある。
【００１７】
請求項６記載のリュックサック用スペーサーによれば、折り畳み可能な部材で形成された連結具を折り畳んで収納できるので全体がコンパクトなものとなり、一方使用時には連結具を伸張させ、連結具を伸張する方向に付勢する板バネで、連結具の折り畳みの防止を図り、使用時の形態安定性が向上する効果がある。
【図面の簡単な説明】
【００１８】
【図１】本考案に係るスペーサーの使用状態を示す説明図である。
【図２】本考案の第１実施形態に係るスペーサーの斜視図である。
【図３】（ａ）本考案の第２実施形態に係るスペーサーの斜視図である。        （ｂ）同分解斜視図である。
【図４】（ａ）本考案の第３実施形態に係るスペーサーの斜視図である。        （ｂ）同分解斜視図である。
【図５】（ａ）本考案の第４実施形態に係るスペーサーの斜視図である。        （ｂ）同分解斜視図である。
【図６】（ａ）本考案の第５実施形態に係るスペーサー斜視図である（連結具を折り畳んだ状態）。        （ｂ）本考案の第５実施形態に係るスペーサー斜視図である（連結具を伸張させた状態）。
【図７】（ａ）本考案の第６実施形態に係るスペーサー斜視図である（連結具を伸張させた状態）。        （ｂ）本考案の第６実施形態に係る連結具の斜視図である（連結具を伸張させた状態）。（ｃ）本考案の第６実施形態に係る連結具の斜視図である（連結具を途中まで折り畳んだ状態）。        （ｄ）本考案の第６実施形態に係る連結具の斜視図である（連結具を完全に折り畳んだ状態）。（ｅ）本考案の第６実施形態に係る連結具の一部斜視図である（連結具を伸張させた状態）。
【考案を実施するための形態】
【００１９】
以下添付図面に基づいて、本考案リュックサック用スペーサーの実施の形態を詳説するが、本考案はこれらの実施の形態に制限されるものではない。
図１は本考案に係るリュックサック用スペーサー１の使用状態を示す図である。
自転車２に乗った人３が背中４にリュックサック５を背負い、スペーサー本体１０を背中４とリュックサック５との間に挿入し、また脱落保護ロープ４０の先端のカラビナ４１をリュックサック５のベルト６に係止してリュックサック用スペーサー１を使用している状態である。スペーサー本体１０をリュックサック５と背中４との間に挿入したことによりリュックサック５と背中４との間隔が確保でき不快な発熱及び発汗を抑えるという効果を生じ、また脱落保護ロープ４０のカラビナ４１をリュックサック５のベルト６に係止したことにより、脱落保護ロープ４０に連結されたスペーサー本体１０は背中４から外れて脱落しても地面に落ちることがなく安定保持される。
【００２０】
第１実施例を図１及び図２を用いて説明する。
リュックサック用スペーサー１は、スペーサー本体１０と脱落保護ロープ４０とからなる。前記スペーサー本体１０は一対の側板２０を一定間隔を存して平行に列設し、それらを二本の連結バー３０で連結したものである。
各側板２０は平板であり、その側面形状は片側の対接面２３を一端２１から他端２２までほぼ直線形状に形成し、他側の対接面２４を一端２１から他端２２に向けなだらかに上昇し中央を過ぎた所からなだらかに下降する凸形状に形成したもので、スペーサー本体１０はリュックサック５と背中４の間に挿入し易く、また取り外し易いという効果と、挿入によりリュックサックと背中との間隔を確保することで不快な発熱及び発汗を抑えるという効果を発揮する。
連結バー３０は中空パイプでも中実パイプでもよい。
前記脱落保護ロープ４０の一端又は両端にはカラビナ４１が取り付けられ、この一方のカラビナ４１は例えば任意の一本の連結バー３０に連結し、他方のカラビナ４１はリュックサック５のベルト６に係止して使用する。前記脱落保護ロープ４０により前記スペーサー本体１０が背中４から外れて脱落しても、地面に落ちることがなくなる。
【００２１】
第２実施例を図１、図３（ａ）及び（ｂ）を用いて説明する。
第２実施例のリュックサック用スペーサー１は前記実施例１の連結バー３０を寸切ボルトと、蝶ナット３２とナット３３で構成し、二枚の側板２０をそれぞれ寸切ボルトと外側に蝶ナット３２、内側にナット３３で固定したことを特徴とする。これにより容易に一対の側板２０の間隔を広くしたり又は狭くしたりすることができ、リュッサック５を背負う人３の背中４の幅に合わせ易くなり、スペーサー本体１０を使用位置に挿入した時のセット状態の違和感を少なくするという効果を発揮する。
一対の側板２０の間を広くしたり又は狭くしたりするには、まず側板２０の外側の蝶ナット３２を緩め、次に内側のナット３３を緩め、側板２０を目的の幅に動かし内側のナット３３の位置を決め側板２０の外側の蝶ナット３２を締めて行う。
【００２２】
第３実施例を図１、図４（ａ）及び（ｂ）を用いて説明する。
第３実施例のリュックサック用スペーサー１は、スペーサー本体１０と脱落保護ロープ４０とからなる。前記スペーサー本体１０は二枚の側板２０を平行に並べ、それらを二本の連結バー３０で着脱可能に連結したものである。
側板２０は平板であり、その側面形状は例えば横軸が長い楕円形状であり、片側対接面２３を略３等分する二箇所に凹形溝２６を形成し、端部２２（２１）近傍に後述の脱落保護ロープ４０を通す孔２７を穿設したものである。
連結バー３０は前記側板２０の片側対接面２３に形成した凹形溝２６に着脱可能に嵌まる矩形断面のバーであり、この連結バー３０の端部近傍に脱落保護ロープを通す孔３４を穿設したものである。
このリュックサック用スペーサー１０は、前記の二枚の側板２０を平行に並べ、その片側対接面２３に形成した前記凹形溝２６に二本の連結バー３０を嵌めることで一対の側板２０を連結し、一端にカラビナ４１を取り付けた脱落保護ロープ４０で一対の側板２０と二本の連結バー３０のそれぞれの脱落保護ロープ４０を側板ロープ孔２７、２７と連結バーロープ孔３４、３４に挿通し、脱落保護ロープの先端に抜け止め４２を形成したものである。前記スペーサー本体１０のそれぞれの構成部品が、背中４から外れて脱落した場合でも前記脱落保護ロープ４０にそれぞれに連結されているため、各構成部品は地面に落ちることがなく安定保持されることになる。
【００２３】
第４実施例を図５（ａ）及び（ｂ）を用いて説明する。
第４実施例のリュックサック用スペーサーは前記実施例３のリュックサック用スペーサー１０の側板２０の側面形状は、弦を下にした三日月形状としたことを特徴としたものである。三日月形状の側板２０、２０の両端２１、２２はややとがった形状に形成されているが、背中４に当たる箇所は、片側対接面２３あるいは他側の対接面２４の何れかであるので、使い易さにはまったく差がないこととなる。
【００２４】
第５実施例を図６（ａ）及び（ｂ）を用いて説明する。
第５実施例のスペーサー本体１０は二枚の側板２０、２０を平行に並べ、前記側板２０、２０と伸張サック３７を挿入した二本の折り畳み式の連結バー３０とを蝶番３９で折り畳み可能に連結したものである。
スペーサー本体１０の側板２０、２０は平板であり、側面形状は横軸が長い楕円形状をし、側板２０には後述の折り畳み式連結バー３０の一部の分割バー３５及び伸張サック３７を収納する切欠き２８を備えているが、他の側板２０には切欠きはない。
折り畳み式の連結バー３０は矩形断面のバーを二分割し、それぞれ分割バー３５，３６とし、蝶番３８で繋いだものである。伸張サック３７は、前記折り畳み式の連結バー３０の蝶番３８で繋いだ部分に被せて連結バー３０を真直ぐに伸ばした状態で固定するためのものである。
折り畳み式の連結バー３０を伸ばして伸張サック３７を蝶番３８で繋いだ部分に被せて固定保持した場合には、スペーサー本体１０の形態安定性が確保され、本来の機能であるリュックサックと背中との距離を確保することで不快な発熱及び発汗を抑えるという効果を確実に発揮できるようになる。
またスペーサー本体１０の収納時には、伸張サック３７を連結バーの蝶番３８で繋いだ部分から外し、連結バー３０を折り畳み、さらに側板２０の切欠き部２８に連結バー３０の分割部３５を収納することで、コンパクトに収納することが可能となり、携帯性が増すという効果を発揮する。
【００２５】
第６実施例を図７（ａ）〜（ｅ）を用いて説明する。
第６実施例のスペーサー本体１０は二枚の側板２０、２０を平行に並べ、この側板２０、２０の内壁面に収納ケース４３を取り付け、収納時にこの収納ケース４３内に収納される二本の折り畳み式の連結バー３０を備えている。
折り畳み式の連結バー３０は矩形断面のバーを二分割し、それぞれ分割バー３５，３６とし、蝶番３８で繋いだものである。
折り畳み式の連結バー３０を伸ばして板バネ４４で固定保持した場合には、スペーサー本体１０の形態安定性が確保され、本来の機能であるリュックサックと背中との距離を確保することで不快な発熱及び発汗を抑えるという効果を確実に発揮できるようになる。
またスペーサー本体１０の収納時には、板バネ４４の弾発力に抗して押圧力を加え、蝶番３８の部分で連結バー３０を折り畳み、さらに側板２０の内壁面に設けたアルミ製などで形成される収納ケース４３内に連結バー３０の分割バー３５、３６を収納することで、コンパクトに収納することが可能となり、携帯性が増すという効果を発揮する。
【産業上の利用可能性】
【００２６】
本考案のリュックサック用スペーサーは、登山、ハイキング、自転車旅行等でリュックサックを背負う場合の背中の発汗による不快な思いを容易に防止することができ、プラスチック、アルミ合金等軽量合金又は木製で製作すれば軽量で携帯に便利であるので、利用範囲は大変広い。
また構造が簡単なので、容易に製作できその利用範囲は広いものとなる。
【符号の説明】
【００２７】
１…リュックサック用スペーサー
２…自転車
３…人
４…背中
５…リュックサック
１０…スペーサー本体
２０、２０…側板
２１…一端（端部）
２２…他端（端部）
２３…側板の片側対接面
２４…側板の他側対接面
２５…側板ボルト孔
２６…側板凹形溝
２７…側板ロープ孔
２８…切欠き部
３０…連結バー
３２…蝶ナット
３３…ナット
３４…連結バーロープ孔
３５、３６…分割バー
３７…伸張サック
３８、３９…蝶番
４０…脱落保護ロープ
４１…カラビナ
４２…抜け止め
４３…収納ケース
４４…板バネ
【図１】
0003172515.tif 000003
【図２】
0003172515.tif 000004
【図３】
0003172515.tif 000005
【図４】
0003172515.tif 000006
【図５】
0003172515.tif 000007
【図６】
0003172515.tif 000008
【図７】
0003172515.tif 000009